【手続補正書】
【提出日】平成28年5月6日(2016.5.6)
【手続補正１】
【補正対象書類名】明細書
【補正対象項目名】０００８
【補正方法】変更
【補正の内容】
【０００８】
本発明は、画像形成装置において、シートをシート搬送路へ給送するシート給送部と、前記シート搬送路に沿って案内されるシートに画像を形成する画像形成部と、前記画像形成部によって画像が形成されたシートを排出するシート排出部と、前記画像形成部によって画像が形成されたシートを再度、前記シート搬送路に案内するシート再搬送路と、前記画像形成部よりも上方に設けられ、原稿を積載する原稿積載部と、前記原稿積載部に積載された原稿を給送する原稿給送部と、前記原稿給送部によって給送された原稿を前記シート再搬送路へ案内する原稿給送路と、前記原稿給送部によって給送された原稿の画像を読み取る画像読み取り部と、前記画像形成部よりも上方に設けられ、原稿が排出される排出原稿積載部と、前記画像読み取り部によって読み取られた原稿を前記排出原稿積載部に排出する原稿排出部と、前記シート再搬送路に沿って案内された原稿を前記原稿排出部へ案内する原稿排出路と、前記原稿給送部により搬送された原稿を前記原稿排出部へ向けて搬送する原稿搬送部と、を有することを特徴とするものである。
【手続補正２】
【補正対象書類名】特許請求の範囲
【補正対象項目名】全文
【補正方法】変更
【補正の内容】
【特許請求の範囲】
【請求項１】
シートをシート搬送路へ給送するシート給送部と、
前記シート搬送路に沿って案内されるシートに画像を形成する画像形成部と、
前記画像形成部によって画像が形成されたシートを排出するシート排出部と、
前記画像形成部によって画像が形成されたシートを再度、前記シート搬送路に案内するシート再搬送路と、
前記画像形成部よりも上方に設けられ、原稿を積載する原稿積載部と、 
前記原稿積載部に積載された原稿を給送する原稿給送部と、
前記原稿給送部によって給送された原稿を前記シート再搬送路へ案内する原稿給送路と、
前記原稿給送部によって給送された原稿の画像を読み取る画像読み取り部と、 
前記画像形成部よりも上方に設けられ、原稿が排出される排出原稿積載部と、
前記画像読み取り部によって読み取られた原稿を前記排出原稿積載部に排出する原稿排出部と、 
前記シート再搬送路に沿って案内された原稿を前記原稿排出部へ案内する原稿排出路と、 
前記原稿給送部により搬送された原稿を前記原稿排出部へ向けて搬送する原稿搬送部と、を有することを特徴とする画像形成装置。
【請求項２】
前記シート再搬送路は、上流部分と、前記上流部分のシート搬送方向における下流に設けられ、前記シート搬送路と合流するＵターン部と、を有し、
前記シート再搬送路の前記Ｕターン部は、前記シート再搬送路の前記上流部分と比べて前記シート搬送路から離れるように膨らんだ膨らみ部分を有し、前記シート再搬送路の上流部分に沿って前記画像読み取り部を配置することを特徴とする請求項１記載の画像形成装置。
【請求項３】
前記原稿排出路は、前記シート再搬送路における、シートと原稿とを案内する共通搬送部分に対して前記シート搬送路とは反対側に配置され、且つ、前記シート再搬送路の共通搬送部分に沿って延びていることを特徴とする請求項１又は２記載の画像形成装置。
【請求項４】
前記原稿排出路は、前記シート再搬送路の共通搬送路に沿って延び、前記原稿搬送部は、前記シート再搬送路の共通搬送路を通過してきた原稿を搬送方向が逆になるように反転させて前記原稿排出路へ搬送することを特徴とする請求項３記載の画像形成装置。
【請求項５】
前記画像読み取り部を、前記シート再搬送路と前記原稿排出路の間に設けることを特徴とする請求項４記載の画像形成装置。
【請求項６】
前記画像読み取り部は、前記シート再搬送路を通過する際に原稿の一方の面の画像を読み取り、前記原稿排出路を通過する際に原稿の他方の面の画像を読み取ることを特徴とする請求項５記載の画像形成装置。
【請求項７】
前記画像読み取り部は、前記シート再搬送路を通過する原稿の一方の面の画像を読み取る位置と、前記原稿排出路を通過する原稿の他方の面の画像を読み取る位置に移動可能であることを特徴とする請求項６記載の画像形成装置。
【請求項８】
前記原稿給送路は、前記シート再搬送路における、シートと原稿とを案内する共通搬送部分に対して前記シート搬送路とは反対側に配置され、且つ、前記シート再搬送路の共通搬送部分に沿って延び、前記原稿搬送部は、前記原稿給送路に沿って搬送されてきた原稿を搬送方向が逆になるように反転させて前記シート再搬送路へ搬送することを特徴とする請求項１記載の画像形成装置。
【請求項９】
前記画像読み取り部を、前記シート再搬送路と前記原稿給送路の間に設けることを特徴とする請求項８記載の画像形成装置。
【請求項１０】
前記画像読み取り部は、前記シート再搬送路を通過する原稿の他方の面の画像を読み取る位置と、前記原稿給送路を通過する原稿の一方の面の画像を読み取る位置との間で移動可能であることを特徴とする請求項９記載の画像形成装置。
【請求項１１】
前記原稿給送路の下流端が前記シート再搬送路に接続され、前記原稿排出路の上流端が前記シート再搬送路に接続されることを特徴とする請求項１乃至１０のいずれか１項に記載の画像形成装置。
【請求項１２】
前記シート排出部によって排出されたシートが積載されるシート積載部と、 
前記シート積載部の上方に設けられ、前記原稿給送部によって給送される原稿が載置される原稿トレイと、を有することを特徴とする請求項１乃至１１のいずれか１項に記載の画像形成装置。
【請求項１３】
前記シート再搬送路は、上流部分と、前記上流部分のシート搬送方向における下流に設けられ、前記シート搬送路と合流するＵターン部と、を有し、
前記シート再搬送路の前記Ｕターン部は、前記シート再搬送路の上流部分と比べて前記シート搬送路から離れるように膨らんだ膨らみ部分を有し、前記画像読み取り部の少なくとも一部が、水平方向において前記Ｕターン部の膨らみ部分における最も外側の部分を通過する鉛直線よりもシート搬送路側に設けられていることを特徴とする請求項１記載の画像形成装置。
【請求項１４】
前記原稿給送部および前記原稿排出部は、前記シート再搬送路よりも上方に設けられることを特徴とする請求項１乃至１３のいずれか１項に記載の画像形成装置。
【請求項１５】
前記シート排出部がシートを排出する方向と、前記原稿排出部が原稿を排出する方向は同一方向であり、前記原稿給送部が原稿を給送する方向と前記原稿排出部が原稿を排出する方向と、反対方向であることを特徴とする請求項１乃至１４のいずれか１項に記載の画像形成装置。
【請求項１６】
シートを積載するシート積載部と、シートに画像を形成する画像形成部と、前記シート積載部に積載されたシートを前記画像形成部に搬送するシート給送部と、を備えた画像形成手段と、
原稿を積載する原稿積載部と、原稿画像を読み取る画像読取部と、前記原稿積載部に積載された原稿を前記画像読取部に給送する原稿給送部と、前記画像読取部により画像が読み取られた原稿を排出する原稿排出部と、前記原稿排出部により排出された原稿を積載する排出原稿積載部と、を備えた画像読取手段と、を有し、
前記原稿積載部と前記排出原稿積載部は前記画像形成部の上方に配置され、前記画像形成手段の第１給送路と前記画像読取手段の第２給送路が合流し、前記原稿積載部と前記排出原稿積載部は画像形成装置の同じ側に配置されることを特徴とする画像形成装置。
【請求項１７】
前記原稿積載部から原稿を前記排出原稿積載部に搬送する原稿搬送部を有し、
前記原稿搬送部は、原稿を反転搬送するために正逆転可能な反転ローラを含むことを特徴とする請求項１６に記載の画像形成装置。
【請求項１８】
前記原稿積載部から原稿を前記排出原稿積載部に搬送する原稿搬送部を有し、
前記原稿搬送部は、原稿の搬送方向を反転して前記排出原稿積載部へ向けて搬送するため環状に形成された搬送路を含むことを特徴とする請求項１６に記載の画像形成装置。 
【請求項１９】
前記画像形成部により画像が形成されたシートを積載する排紙シート積載部を有し、
前記排紙シート積載部に排出されるシートの排出方向は、前記排出原稿積載部に向けて搬送される原稿の搬送方向と同じであり、前記原稿搬送部により搬送される原稿の搬送方向は、前記排出原稿積載部に排出される原稿の排出方向と逆方向であることを特徴とする請求項１８に記載の画像形成装置。
【請求項２０】
前記原稿積載部と前記排出原稿積載部は、画像形成装置を上方から垂直に見たとき、少なくとも部分的に重なっていることを特徴とする請求項１６に記載の画像形成装置。
【請求項２１】
シートを積載するシート積載部と、
シートに画像を形成する画像形成部と、
前記シート積載部に積載されたシートを前記画像形成部に搬送するシート給送部と、
前記画像形成部により画像が形成されたシートを排出するシート排出部と、
原稿を積載する原稿積載部と、
原稿画像を読み取る画像読取部と、
前記原稿積載部に積載された原稿を前記画像読取部に給送する原稿給送部と、
前記画像読取部により画像が読み取られた原稿を排出する原稿排出部と、
前記原稿排出部により排出された原稿を積載する排出原稿積載部と、を有し、
前記原稿積載部と前記排出原稿積載部は前記画像形成部の上方に配置されると共に、画像形成装置において同じ側に配置され、前記シート給送部により搬送されるシートが通過すると共に前記シート排出部により排出されるシートが通過する第１給送路と、前記原稿給送部により搬送される原稿が通過すると共に前記原稿排出部により排出される原稿が通過する第２給送路が合流することを特徴とする画像形成装置。
【請求項２２】
前記原稿積載部から原稿を前記排出原稿積載部に搬送する原稿搬送部を有し、
前記原稿搬送部は、原稿を反転搬送するために正逆転可能な反転ローラを含むことを特徴とする請求項２１に記載の画像形成装置。
【請求項２３】
前記原稿積載部から原稿を前記排出原稿積載部に搬送する原稿搬送部を有し、
前記原稿搬送部は、原稿の搬送方向を反転して前記排出原稿積載部へ向けて搬送するため環状に形成された搬送路を含むことを特徴とする請求項２２に記載の画像形成装置。 
【請求項２４】
前記画像形成部により画像が形成されたシートを積載する排紙シート積載部を有し、
前記排紙シート積載部に排出されるシートの排出方向は、前記排出原稿積載部に向けて搬送される原稿の搬送方向と同じであり、前記原稿搬送部により搬送される原稿の搬送方向は、前記排出原稿積載部に排出される原稿の排出方向と逆方向であることを特徴とする請求項２２又は２３に記載の画像形成装置。
【請求項２５】
前記原稿積載部と前記排出原稿積載部は、画像形成装置を上方から垂直に見たとき、少なくとも部分的に重なっていることを特徴とする請求項２１に記載の画像形成装置。
【請求項２６】
シートを積載するシート積載部と、シートに画像を形成する画像形成部と、前記シート積載部に積載されたシートを前記画像形成部に搬送するシート給送部と、を備えた画像形成手段と、
原稿を積載する原稿積載部と、原稿画像を読み取る画像読取部と、前記原稿積載部に積載された原稿を前記画像読取部に給送する原稿給送部と、前記画像読取部により画像が読み取られた原稿を排出する原稿排出部と、前記原稿排出部により排出された原稿を積載する排出原稿積載部とを備えた画像読取手段と、を有し、
前記原稿積載部と前記排出原稿積載部は前記画像形成部の上方に配置され、前記画像形成手段の第１給送路と前記画像読取手段の第２給送路が合流し、前記原稿積載部と前記排出原稿積載部は、画像形成装置を上方から垂直に見たとき、少なくとも部分的に重なっていることを特徴とする画像形成装置。
【請求項２７】
前記原稿積載部から原稿を前記排出原稿積載部に搬送する原稿搬送部を有し、
前記原稿搬送部は、原稿を反転搬送するために正逆転可能な反転ローラを含むことを特徴とする請求項２６に記載の画像形成装置。
【請求項２８】
前記原稿積載部から原稿を前記排出原稿積載部に搬送する原稿搬送部を有し、
前記原稿搬送部は、原稿の搬送方向を反転して前記排出原稿積載部へ向けて搬送するため環状に形成された搬送路を含むことを特徴とする請求項２６に記載の画像形成装置。 
【請求項２９】
前記画像形成部により画像が形成されたシートを積載する排紙シート積載部を有し、
前記排紙シート積載部に排出されるシートの排出方向は、前記排出原稿積載部に向けて搬送される原稿の搬送方向と同じであり、前記原稿搬送部により搬送される原稿の搬送方向は、前記排出原稿積載部に排出される原稿の排出方向と逆方向であることを特徴とする請求項２７又は２８に記載の画像形成装置。
【請求項３０】
前記原稿積載部と前記排出原稿積載部は画像形成装置の同じ側に配置されることを特徴とする請求項２６に記載の画像形成装置。
【請求項３１】
シートを積載するシート積載部と、
シートに画像を形成する画像形成部と、
前記シート積載部に積載されたシートを前記画像形成部に搬送するシート給送部と、
前記画像形成部により画像が形成されたシートを排出するシート排出部と、
原稿を積載する原稿積載部と、
原稿画像を読み取る画像読取部と、
前記原稿積載部に積載された原稿を前記画像読取部に給送する原稿給送部と、
前記画像読取部により画像が読み取られた原稿を排出する原稿排出部と、
前記原稿排出部により排出された原稿を積載する排出原稿積載部と、を有し、
前記原稿積載部と前記排出原稿積載部は、前記画像形成部の上方に配置されると共に画像形成装置を上方から垂直に見たとき、少なくとも部分的に重なり、前記シート給送部により搬送されるシートが通過すると共に前記シート排出部により排出されるシートが通過する第１給送路と、前記原稿給送部により搬送される原稿が通過すると共に前記原稿排出部により排出される原稿が通過する第２給送路が合流することを特徴とする画像形成装置。
【請求項３２】
前記原稿積載部から原稿を前記排出原稿積載部に搬送する原稿搬送部を有し、
前記原稿搬送部は、原稿を反転搬送するために正逆転可能な反転ローラを含むことを特徴とする請求項３１に記載の画像形成装置。
【請求項３３】
前記原稿積載部から原稿を前記排出原稿積載部に搬送する原稿搬送部を有し、
前記原稿搬送部は、原稿の搬送方向を反転して前記排出原稿積載部へ向けて搬送するため環状に形成された搬送路を含むことを特徴とする請求項３１に記載の画像形成装置。 
【請求項３４】
前記画像形成部により画像が形成されたシートを積載する排紙シート積載部を有し、
前記排紙シート積載部に排出されるシートの排出方向は、前記排出原稿積載部に向けて搬送される原稿の搬送方向と同じであり、前記原稿搬送部により搬送される原稿の搬送方向は、前記排出原稿積載部に排出される原稿の排出方向と逆方向であることを特徴とする請求項３２又は３３に記載の画像形成装置。
【請求項３５】
前記原稿積載部及び前記排出原稿積載部は画像形成装置の同じ側に配置されることを特徴とする請求項３１に記載の画像形成装置。